(57)【要約】【課題】タンク本体の底壁部に形成された開口穴を、開放状態から閉塞状態、及び、閉塞状態から開放状態に切り替えることができる補助タンクを有する遊技機を提供する。【解決手段】補助タンク５０は、上部が開放され底壁部１０１に開口穴５３が形成されたタンク本体５１と、タンク本体５１の内方に回動自在に支持されて、開口穴５３を閉塞する閉塞位置と、開口穴５３を開放する開放位置のいずれか一方に選択的に配置可能な蓋体５２とを備える。【選択図】図６
2009160291.tif 000002
【特許請求の範囲】
【請求項１】
ホッパから溢れたコインが収容される補助タンクを有する遊技機において、
前記補助タンクは、
上部が開放され下部に開口穴が形成されたタンク本体と、
該タンク本体の内方に回動自在に支持されて、開口穴を閉塞する閉塞位置と、開口穴を開放する開放位置のいずれか一方に選択的に配置可能な蓋体と、
を備えることを特徴とする遊技機。
【請求項２】
前記補助タンクは、
前記蓋体を前記開放位置と前記閉塞位置との中間の予め設定された傾斜角度位置に配置して取り外し方向に移動させた場合に、前記蓋体の前記タンク本体への支持を解除して前記蓋体を前記タンク本体から取り外し可能な構成を有することを特徴とする請求項１に記載の遊技機。
【請求項３】
前記補助タンクは、前記タンク本体又は前記蓋体の一方に設けられた支持軸と、該支持軸に対応して前記タンク本体又は前記蓋体の他方に設けられ、前記支持軸を相対的に回転自在に支持する支持部と、該支持部に所定の切欠幅で切欠形成されたスリット部を有し、
前記支持軸は、前記蓋体を前記傾斜角度位置に配置した場合に前記スリット部に対して径方向幅が狭く、前記蓋体を前記傾斜角度位置以外の角度位置に配置した場合に前記スリット部に対して径方向幅が広い断面形状を有し、前記蓋体を前記傾斜角度位置に配置して前記取り外し方向に移動させた場合に前記スリット部を通過させて前記支持部から取り外し可能な構成を有することを特徴とする請求項１又は２に記載の遊技機。
【請求項４】
前記支持軸は、前記蓋体を前記傾斜角度位置に配置した場合に前記取り外し方向に沿って延在する平坦面を有し、
前記スリット部は、前記取り外し方向に向かって開口し、前記蓋体を前記傾斜角度位置に配置して前記取り外し方向に移動させた場合に前記支持軸を通過させることが可能な間隔を有することを特徴とする請求項１〜３のいずれか１項に記載の遊技機。
【請求項５】
前記補助タンクは、
前記蓋体を前記閉塞位置に保持する閉塞位置保持手段を有することを特徴とする請求項１〜４のいずれか１項に記載の遊技機。
【請求項６】
前記閉塞位置保持手段は、
前記蓋体に設けられ、前記蓋体が回動する回動中心軸線の延在方向と同方向に突出する凸部と、
前記タンク本体に設けられ、前記蓋体が閉塞位置に配置された場合に、前記凸部が挿入されて前記蓋体の開放側への移動を規制する閉塞係止穴によって構成されることを特徴とする請求項５に記載の遊技機。
【請求項７】
前記閉塞位置保持手段は、
前記蓋体に取り付けられて、前記蓋体が前記閉塞位置に配置された場合に前記タンク本体に穿設されている貫通孔に先端部が挿通されるグロメットと、
該グロメットに対して押し込み方向又は引っ張り方向に往復移動自在に支持され、押し込み方向への移動により前記グロメットの先端部を拡径させて前記タンク本体に係止させ、引っ張り方向への移動により前記グロメットの先端部を前記貫通孔の内径以下に縮径可能な状態として前記タンク本体への係止を解除させるプランジャとによって構成されることを特徴とする請求項５に記載の遊技機。
【請求項８】
前記補助タンクは、
前記蓋体を開放位置に保持する開放位置保持手段を有することを特徴とする請求項１〜７のいずれか１項に記載の遊技機。
【請求項９】
前記開放位置保持手段は、
前記蓋体に設けられ、前記蓋体から前記回動中心軸線が延在する方向と同方向に突出する凸部と、
前記タンク本体に設けられ、前記蓋体が開放位置に配置された場合に、前記凸部が挿入されて前記蓋体の閉塞側への移動を規制する開放係止穴によって構成されることを特徴とする請求項８に記載の遊技機。
【請求項１０】
前記開放位置保持手段は、
前記蓋体と前記タンク本体との間に介装されて、前記蓋体を閉塞位置側から開放位置側に向かって付勢する付勢手段によって構成されていることを特徴とする請求項８に記載の遊技機。
【発明の詳細な説明】
【技術分野】
【０００１】
本発明は、スロットマシン等の遊技機に関するものである。
【背景技術】
【０００２】
特許文献１には、遊技機内でホッパから溢れた遊技媒体の自動回収と手動回収の両方に対応可能な補助タンクが示されている。補助タンクの底壁には、開口穴を形成したい部分を取り囲むように板厚方向に貫通する切り込み部が複数箇所の接続リブを残すように断続的に形成されており、この複数箇所の接続リブを切断することによって比較的容易に開口穴を形成できるようになっている。
【０００３】
上記従来の補助タンクは、遊技媒体の手動回収を行う遊技ホールでは、そのまま使用され、遊技媒体の自動回収を行う遊技ホールでは、補助タンクの底壁に開口穴が形成された状態で使用される。
【０００４】
遊技媒体の自動回収装置は、遊技機が配設される遊技ホールの島設備において、遊技機の下方に設置されており、遊技機本体の底面に形成された貫通孔を介して遊技機本体の内部と連通している。
【０００５】
開口穴は、遊技機本体内に補助タンクがセットされた状態で、遊技機本体の底面の貫通孔に連通し、ホッパから溢れて補助タンクに排出された遊技媒体を通過させて貫通孔内を落下させ、自動回収装置に供給するようになっている。
【０００６】
【特許文献１】特開２００５−３２３７５０号公報
【発明の開示】
【発明が解決しようとする課題】
【０００７】
しかしながら、上記従来の補助タンクは、自動回収に対応させるべく、一度、開口穴を形成すると、再び開口穴を閉塞することはできない。従って、遊技機を中古機として、自動回収装置設備を備えた遊技ホールから、手動による回収を行う遊技ホールに移動させた場合には、そのまま補助タンクを使用することはできず、開口穴が形成されていない補助タンクを新たに購入する必要があり、コスト高を招来していた。
【０００８】
また、移動中は、遊技機本体の底面が露出して、底面の貫通孔から補助タンクの開口穴を介して遊技機本体の内部に針金等の異物を挿入することが可能となる。従って、例えば針金を使用して遊技機本体の内部から前面扉の鍵を外して前面扉を開放し、遊技機の制御基板を、不正改造がなされた制御基板に交換したり、入賞の設定値を不正に変更する等の不正行為が行われるおそれがある。
【０００９】
本発明は、これらの問題に鑑みてなされたものであり、その目的は、タンク本体の底壁部に形成された開口穴を、開放状態から閉塞状態、及び、閉塞状態から開放状態に切り替えることができる補助タンクを有する遊技機を提供することにある。
【課題を解決するための手段】
【００１０】
上記課題を解決する請求項１に記載の発明による遊技機１は、ホッパ１５から溢れたコインが収容される補助タンク５０を有する遊技機１において、補助タンク５０は、上部が開放され下部に開口穴５３が形成されたタンク本体５１と、タンク本体５１の内方に回動自在に支持されて、開口穴５３を閉塞する閉塞位置と、開口穴５３を開放する開放位置のいずれか一方に選択的に配置可能な蓋体５２とを備えることを特徴とする。
【００１１】
請求項１に記載の発明によると、蓋体５２を回動させてタンク本体５１の開口穴５３を閉塞する閉塞位置と、タンク本体５１の開口穴５３を開放する開放位置のいずれか一方に選択的に配置できるので、補助タンク５０の開口穴５３を開放状態から閉塞状態、及び、閉塞状態から開放状態に切り替えることができる。
【００１２】
従って、例えば遊技媒体であるコインが自動回収される遊技ホールや島設備に配設されていた遊技機１を、コインが手動回収される遊技ホールや島設備に移動させた場合に、補助タンク５０の蓋体５２を開放位置から閉塞位置に回動させて、補助タンク５０の開口穴５３を閉塞し、補助タンク５０を自動回収に対応するものから手動回収に対応するものに変更することができる。
【００１３】
従って、補助タンク５０を新たに購入する必要がなく、遊技機１の移設に伴うコストを低減することができる。また、蓋体５２がタンク本体５１に回動自在に支持されているので、例えば補助タンク５０の開口穴５３を開放させた状態で使用していた場合に、蓋体５２の紛失を防ぐことができる。
【００１４】
請求項２に記載の発明は、請求項１に記載の遊技機１において、補助タンク５０は、蓋体５２を開放位置と閉塞位置との中間の予め設定された傾斜角度位置に配置して取り外し方向に移動させた場合に、蓋体５２のタンク本体５１への支持を解除して蓋体５２をタンク本体５１から取り外し可能な構成を有することを特徴とする。
【００１５】
請求項２に記載の発明によると、蓋体５２を開放位置と閉塞位置の中間の傾斜角度位置に配置した場合にのみ、蓋体５２をタンク本体５１から取り外すことができ、例えば閉塞位置や開放位置に配置されている場合には取り外すことができない。
【００１６】
従って、蓋体５２をタンク本体５１から取り外す位置を、蓋体５２の姿勢が不安定で位置決めが困難な位置とすることができる。従って、蓋体５２の姿勢が安定して蓋体５２に対する不正行為が行われやすい位置である、開放位置や閉塞位置での蓋体５２の取り外しを困難なものとし、蓋体５２の取り外しによる不正行為を有効に防止できる。
【００１７】
請求項３に記載の発明は、請求項１又は２に記載の遊技機１において、補助タンク５０は、タンク本体５１又は蓋体５２の一方に設けられた支持軸２１３と、支持軸２１３に対応してタンク本体５１又は蓋体５２の他方に設けられ、支持軸２１３を相対的に回転自在に支持する支持部１３４と、支持部１３４に所定の切欠幅で切欠形成されたスリット部１３４ａを有し、支持軸２１３は、蓋体５２を傾斜角度位置に配置した場合にスリット部１３４ａに対して径方向幅が狭く、蓋体５２を傾斜角度位置以外の角度位置に配置した場合にスリット部１３４ａに対して径方向幅が広い断面形状を有し、蓋体５２を傾斜角度位置に配置して取り外し方向に移動させた場合にスリット部１３４ａを通過させて支持部１３４から取り外し可能な構成を有することを特徴とする。
【００１８】
請求項３に記載の発明によると、蓋体５２を傾斜角度位置に配置して取り外し方向に移動させた場合にスリット部１３４ａを通過させて支持部１３４から支持軸２１３を取り外すことができる。従って、蓋体５２を開放位置と閉塞位置の中間の傾斜角度位置に配置した場合にのみ、蓋体５２をタンク本体５１から取り外すことができる。
【００１９】
従って、蓋体５２をタンク本体５１から取り外す位置を、蓋体５２の姿勢が不安定で位置決めが困難な位置とすることができ、蓋体５２の姿勢が安定して蓋体５２に対する不正行為が行われやすい位置である開放位置や閉塞位置での蓋体５２の取り外しを困難なものとし、蓋体５２の取り外しによる不正行為を有効に防止できる。
【００２０】
請求項４に記載の発明は、請求項１〜３のいずれか１項に記載の遊技機１において、支持軸２１３は、蓋体５２を傾斜角度位置に配置した場合に取り外し方向に沿って延在する平坦面２１３ａを有し、スリット部１３４ａは、取り外し方向に向かって開口し、蓋体５２を傾斜角度位置に配置して取り外し方向に移動させた場合に支持軸２１３を通過させることが可能な間隔を有することを特徴とする。
【００２１】
請求項４に記載の発明は、支持軸２１３とスリット部１３４ａの具体的な構成の一例を示したものであり、これによれば、蓋体５２を傾斜角度位置に配置した場合にスリット部１３４ａに対して径方向幅を狭くし、蓋体５２を傾斜角度位置以外の角度位置に配置した場合にスリット部１３４ａに対して径方向幅を広くすることができる。そして、蓋体５２を傾斜角度位置に配置して取り外し方向に移動させた場合に、スリット部１３４ａを通過させて支持部１３４から支持軸２１３を取り外すことができる。
【００２２】
請求項５に記載の発明は、請求項１〜４のいずれか１項に記載の遊技機１において、補助タンク５０、６０は、蓋体５２、６２を閉塞位置に保持する閉塞位置保持手段を有することを特徴とする。
【００２３】
請求項５に記載の発明によると、蓋体５２、６２を閉塞位置に保持することができるので、例えば手動回収用として使用中に、補助タンク５０内のコインを取り出すべく補助タンク５０を遊技機本体４から取り出して上下逆さにしたときに、開口穴５３の閉塞状態を維持できる。また、コインが衝突した衝撃等によって、蓋体５２、６２が移動して弾みで開口穴５３、６３が開放されるのを防ぎ、補助タンク５０、６０を遊技機本体４から取り出した際に、補助タンク５０、６０内のコインが開口穴５３、６３から漏れ出るのを防ぐことができる。
【００２４】
また、例えば遊技機１の搬送中に、蓋体５２、６２が回動して開口穴５３、６３が開放されるのを防ぐことができ、遊技機本体４の底面２Ｂのコイン回収穴２Ｆから補助タンク５０、６０の開口穴５３、６３を介して遊技機本体４の内部に針金等の異物を挿入する等の不正行為を防ぐことができる。
【００２５】
請求項６に記載の発明は、請求項５に記載の遊技機１において、閉塞位置保持手段は、蓋体５２に設けられ、蓋体５２が回動する回動中心軸線の延在方向と同方向に突出する凸部２０５、２０６と、タンク本体５１に設けられ、蓋体５２が閉塞位置に配置された場合に、凸部２０５、２０６が挿入されて蓋体５２の開放側への移動を規制する閉塞係止穴１２３、１２５によって構成されることを特徴とする。
【００２６】
請求項６に記載の発明は、請求項５に記載した閉塞位置保持手段の具体的な構成の一例を示すものであり、これによれば、蓋体５２を閉塞位置に配置した場合に、蓋体５２の凸部２０５、２０６をタンク本体５１の閉塞係止穴１２３、１２５に挿入して、蓋体５２の開放側への移動を規制することができる。
【００２７】
従って、蓋体５２を閉塞位置に保持することができ、例えば遊技機１の搬送時における衝撃やコインが落下して衝突した衝撃等によって蓋体５２が開放側に移動して開口穴５３が開放されるのを防ぐことができる。
【００２８】
また、凸部２０５、２０６は、閉塞位置では閉塞係止穴１２３、１２５に挿入されており、外部に露出することはない。従って、コインが落下して凸部２０５、２０６に衝突するのを防ぎ、凸部２０５、２０６が破壊されるのを防ぐことができ、閉塞位置への良好な保持を好適に維持することができる。
【００２９】
請求項７に記載の発明は、請求項５に記載の遊技機１において、閉塞位置保持手段は、蓋体６２に取り付けられて、蓋体６２が閉塞位置に配置された場合にタンク本体６１に穿設されている貫通孔３１１、３１２に先端部４２２ａが挿通されるグロメット４２２と、グロメット４２２に対して押し込み方向又は引っ張り方向に往復移動自在に支持され、押し込み方向への移動によりグロメット４２２の先端部４２２ａを拡径させてタンク本体６１に係止させ、引っ張り方向への移動によりグロメット４２２の先端部４２２ａを貫通孔３１１、３１２の内径以下に縮径可能な状態としてタンク本体６１への係止を解除させるプランジャ４２３とによって構成されることを特徴とする。
【００３０】
請求項７に記載の発明によれば、蓋体６２を閉塞位置に配置して、グロメット４２２の先端部４２２ａをタンク本体６１の貫通孔３１１、３１２に挿通し、プランジャ４２３を押し込み方向に移動させた場合に、グロメット４２２の先端部４２２ａを拡径させてタンク本体６１に係止することができる。従って、蓋体６２を閉塞位置に簡単に固定することができる。
【００３１】
また、グロメット４２２の先端部４２２ａがタンク本体６１に係止された状態からプランジャ４２３を引っ張り方向に移動させた場合に、グロメット４２２の先端部４２２ａを貫通孔３１１、３１２の内径以下に縮径可能な状態とし、タンク本体６１への係止を解除することができる。従って蓋体６２の閉塞位置への固定を簡単に解除することができる。
【００３２】
請求項８に記載の発明は、請求項１〜７のいずれか１項に記載の遊技機１において、補助タンク５０、６０は、蓋体５２、６２を開放位置に保持する開放位置保持手段を有することを特徴とする。
【００３３】
請求項８に記載の発明によると、蓋体５２、６２を開放位置に保持することができるので、例えば自動回収用として使用中に、コインが衝突した衝撃等によって、蓋体５２、６２が開放位置から閉塞位置に移動して開口穴５３、６３を閉塞してしまうのを防ぐことができ、遊技機本体内にコインが詰まるのを防ぐことができる。
【００３４】
請求項９に記載の発明は、請求項８に記載の遊技機１において、開放位置保持手段は、蓋体５２に設けられ、蓋体５２から回動中心軸線が延在する方向と同方向に突出する凸部２０５、２０６と、タンク本体５１に設けられ、蓋体５２が開放位置に配置された場合に、凸部２０５、２０６が挿入されて蓋体５２の閉塞側への移動を規制する開放係止穴１４２、１４４によって構成されることを特徴とする。
【００３５】
請求項９に記載の発明は、請求項８に記載した開放位置保持手段の具体的な構成の一例を示すものであり、これによれば、蓋体５２を開放位置に配置した場合に、蓋体５２の凸部２０５、２０６をタンク本体５１の開放係止穴１４２、１４４に挿入して、蓋体５２を開放位置に保持することができる。従って、蓋体５２の閉塞側への移動を規制することができ、例えばコインが落下して衝突した衝撃によって蓋体５２が閉塞側に移動して開口穴５３が閉塞されるのを防ぐことができる。
【００３６】
また、凸部２０５、２０６は、開放位置では開放係止穴１４２、１４４に挿入されており、外部に露出することはない。従って、コインが落下して凸部２０５、２０６に衝突するのを防ぎ、凸部２０５、２０６が破壊されるのを防ぐことができ、閉塞位置への良好な保持を好適に維持することができる。
【００３７】
請求項１０に記載の発明は、請求項８に記載の遊技機１において、開放位置保持手段は、蓋体６２とタンク本体６１との間に介装されて、蓋体６２を閉塞位置側から開放位置側に向かって付勢する付勢手段６８によって構成されていることを特徴とする。
【００３８】
請求項１０に記載の発明は、請求項８に記載した開放位置保持手段の具体的な構成の一例を示すものであり、これによれば、付勢手段６８の付勢力により蓋体６２を開放側に向かって付勢して開放位置に保持することができる。従って、蓋体６２の閉塞側への移動を規制することができ、例えばコインが落下して衝突した衝撃によって蓋体６２が閉塞側に移動して開口穴６３が閉塞されるのを防ぐことができる。
【発明の効果】
【００３９】
本発明によると、蓋体を回動させてタンク本体の開口穴を閉塞する閉塞位置と、タンク本体の開口穴を開放する開放位置のいずれか一方に選択的に配置できるので、補助タンクの開口穴を開放状態から閉塞状態、及び、閉塞状態から開放状態に切り替えることができる。
【００４０】
従って、例えばコインが自動回収される遊技ホールや島設備に配設されていた遊技機を、コインが手動回収される遊技ホールや島設備に移動させた場合に、補助タンクの蓋体を開放位置から閉塞位置に回動させて、補助タンクの開口穴を開放状態から閉塞状態に切り替えて、補助タンクを自動回収に対応するものから手動回収に対応するものに変更することができる。従って、補助タンクを新たに購入する必要がなく、遊技機の移設に伴うコストを低減することができる。また、蓋体がタンク本体に回動自在に支持されているので、例えば補助タンクの開口穴を開放させた状態で使用していた場合に、蓋体の紛失を防ぐことができる。
【発明を実施するための最良の形態】
【００４１】
［第１実施の形態］
以下、本発明の第１実施の形態について、遊技機の一例としてスロットマシン１の場合を例に図面に基づいて説明する。図１は、スロットマシン１の前面扉３が閉じた状態を示す斜視図、図２は、スロットマシン１の前面扉３が開いた状態を示す斜視図、図３は、スロットマシン１の筐体２内を正面から示す図、図４は、図３のＩ−Ｉ線断面矢視図である。
【００４２】
スロットマシン１は、図１及び図２に示すように、筐体２と前面扉３とからなる正面視略矩形状の本体４を有する。
【００４３】
前面扉３は、略平板状のフレーム２０に、スタートレバー２６やセレクタ９等の種々の装置類が装着されて構成されている。フレーム２０は、フレーム２０の上端部から高さ方向略中央部まで下方に移行するに従って手前側に突出するように傾斜した傾斜部２０Ａと、傾斜部２０Ａの下端から手前側に突出してフレーム２０の左右に亘って所定の高さ幅で延在する突出部２０Ｂと、突出部２０Ｂよりも奥側に後退した位置で突出部２０Ｂからフレーム２０の下端部まで垂下する垂下部２０Ｃを有する。
【００４４】
フレーム２０は、左端部の上下複数カ所がヒンジ５（図２を参照）によって筐体２に連結されて取り付けられ、筐体２の前面側の開放部を容易に開放及び閉塞できるようになっている。そして、フレーム２０の右端部には、筐体２に対して前面扉３を閉塞して施錠状態とする施錠装置６と、その施錠装置６による施錠状態を解除して前面扉３を開放するためのキーシリンダ７が設けられている。
【００４５】
そして、前面扉３の前面には、フレーム２０に取り付けられた装置類によって、上方から下方に向かって順番に並ぶように、演出部３Ａ、表示部３Ｂ、操作部３Ｃ、装飾部３Ｄ、払出部３Ｅが形成されている。
【００４６】
演出部３Ａは、遊技者に対して光や音、映像を用いて演出を行う演出装置２１を有する。演出装置２１は、フレーム２０の傾斜部２０Ａに取り付けられており、遊技の進行に伴って点灯・点滅する上部ランプ２１ａと、上部ランプ２１ａの下方位置で左右両側に各々配置されて種々の効果音等を発生させる一対のスピーカ２１ｂ−１、２１ｂ−２と、これら一対のスピーカ２１ｂ−１、２１ｂ−２の間に配設されて、画像・映像等の種々の情報を表示する液晶ディスプレイ２１ｃを有する。
【００４７】
表示部３Ｂは、遊技者に遊技状態を示す表示用パネル２２を有する。表示用パネル２２は、フレーム２０の傾斜部２０Ａに開口する矩形の開口部に嵌合されて取り付けられている。表示用パネル２２の略中央位置には、透明又は半透明な材質によって表示窓２２ａが一体成形されており、その表示窓２２ａから筐体２内の回転リール１１ａ〜１１ｃを視認できるようになっている。
【００４８】
操作部３Ｃは、表示用パネル２２の下端から手前側に向かって平面状に突出する突出部２０Ｂの上面部２０Ｂａに、ベットボタン２３とコイン投入口２４とが左右に離れて設けられている。そして、上面部２０Ｂａの手前側の端部で折曲されて垂下する突出部２０Ｂの前面部２０Ｂｂに、精算ボタン２５、回転リール１１ａ〜１１ｃの回転開始を指示するためのスタートレバー２６、回転リール１１ａ〜１１ｃの回転停止を支持するためのストップボタン２７等の各操作手段が横一列に並ぶように配設されている。突出部２０Ｂの前面部２０Ｂｂには各操作手段の周りをカバーするカバー部材２８が取り付けられている。カバー部材２８は、フレーム２０の突出部２０Ｂの前方で左右に亘って延在する帯板形状を有している。
【００４９】
装飾部３Ｄは、機種名や遊技に関わるキャラクタ等を表示する装飾用パネル４０を有する。装飾用パネル４０は、装飾用パネル４０の裏面側に設けられた照明装置の光源Ｐから照射される光によって照明されて、装飾が際立つようになっている。照明装置は、光源Ｐとして冷陰極管を備えており、図４に示すように、装飾用パネル４０の表示部４２とフレーム２０の垂下部２０Ｃとの間で前面扉３の左右に延在し、両端がフレーム２０に支持されている。光源Ｐは、電源の供給を受けて放射状に光を照射する。
【００５０】
装飾用パネル４０は、保護カバー４１と減光手段４４を備えている。保護カバー４１は、フレーム２０の垂下部２０Ｃの前方で上下に延在する表示部４２と、表示部４２の下端で折曲されて後方に向かって延在し、コイン受け皿３３に対向する対向部４３とが一体に形成され、透明又は半透明のプラスチックやアクリル等、硬質の合成樹脂製材料等の光透過性部材によって構成されている。
【００５１】
減光手段４４は、保護カバー４１の対向部４３の少なくとも一部を覆い、光源Ｐからコイン受け皿３３に向かって照射される光を減光する構成を有しており、対向部４３の上面に取り付けられて光源Ｐからコイン受け皿３３に向かって照射される光を遮光する遮光プレート４５と、遮光プレート４５に開口して光源Ｐからコイン受け皿３３に向かって照射される光を通過させる開口部４６と、開口部４６に脱着自在に取り付けられて開口部４６を通過する光を透過させて光量や色等を変更する透過光調整部４７によって構成されている。
【００５２】
開口部４６は、図４に示すように、光源Ｐから照射された光が通過してコイン受け皿３３を照明する位置に設けられている。開口部４６の大きさは、光源Ｐからコイン受け皿３３内を照明するのに必要で且つ遊技者が眩しくない程度の光量の光を透過させることができる大きさに設定されている。
【００５３】
従って、光源Ｐから照射された光を減光手段４４で減光して、コイン受け皿３３に照射される光の光量を調整することができ、適切な光量の光でコイン受け皿３３を照明でき、遊技者にとって眩しすぎず、且つ、コイン受け皿３３上のコインの存否確認を容易ならしめ、コイン受け皿３３上のコインの取り忘れを防ぐことができる。
【００５４】
特に、コイン受け皿３３の底板部３３Ａの強度を補強するために底板部３３Ａの底面に金属製の板部材が敷設されて、上方からの光を反射し易い構造となっている場合には、減光手段４４によって適切な光量に減光することにより、遊技者が眩しく感じるのを有効に防ぐことができる。
【００５５】
そして、保護カバー４１の表示部４２と対向部４３が一体に形成されているので、光を透過させるための開口部等を保護カバー４１に開ける必要がない。従って、針金等の棒状の異物が保護カバー４１を貫通して挿入されるおそれがなく、スロットマシン１の設定状態を不正に変更する等の不正行為を有効に防ぐことができる。
【００５６】
払出部３Ｅは、コイン払出口３１や演出用スピーカ３２Ｌ、３２Ｒ、コイン受け皿３３等を有する。コイン払出口３１は、図１に示すように、フレーム２０の左右方向略中央位置に開口形成されており、排出用通路８（図２を参照）の下流端が連通して接続されている。演出用スピーカ３２Ｌ、３２Ｒは、コイン払出口３１の左右方向両側に位置するように前面扉３のフレーム２０に取り付けられている。
【００５７】
コイン受け皿３３は、コイン受け皿取付板３０を介してフレーム２０に取り付けられている。コイン受け皿取付板３０は、一枚の平板状の金属板によって構成されており、フレーム２０の垂下部２０Ｃに重ね合わせるように取り付けられて、前面扉３の左右に亘って延在し、左右の演出用スピーカ３２Ｌ、３２Ｒの前面を覆っている。
【００５８】
コイン受け皿取付板３０の略中央には、フレーム２０のコイン払出口３１の位置に対応してコイン出口３０ａが開口形成されており、コイン払出口３１からコイン受け皿３３にコインが排出されるようになっている。また、コイン受け皿取付板３０の左右両側には、演出用スピーカ３２Ｌ、３２Ｒの位置に対応して複数の小孔３０ｂがメッシュ状に形成されて、演出用スピーカ３２Ｌ、３２Ｒからの音声等が前面扉３の前方である手前側に向かって発せられるようになっている。
【００５９】
コイン受け皿３３は、フレーム２０の垂下部２０Ｃから手前側に突出して前面扉３の左右に延在するように取り付けられている。コイン受け皿３３は、コイン払出口３１よりも下方位置で底面が左右に広がる底板部３３Ａと、底板部３３Ａの外端縁に沿って設けられて底面から上方に延出する縦壁部３３Ｂを有し、コイン受け皿取付板３０に取り付けられた場合に、縦壁部３３Ｂとコイン受け皿取付板３０との間に囲まれて上方が開放された所定枚数のコインを貯留可能な貯留空間を形成する構成を有する。
【００６０】
縦壁部３３Ｂは、コイン受け皿取付板３０から手前側に向かって延出するように基端がコイン受け皿取付板３０に固定される左右一対の側面壁部３３Ｂａ、３３Ｂｂと、コイン受け皿取付板３０に沿って左右に延在するように一対の側面壁部３３Ｂａ、３３Ｂｂの先端間を連結してコイン払出口３１に対向配置される正面壁部３３Ｂｃを有する。
【００６１】
左側面壁部３３Ｂａは、前面扉３の左端部よりも内方に位置し、前面扉３の左端部と左側面壁部３３Ｂａとの間には灰皿３３Ｃが配設されている。右側面壁部３３Ｂｂは、前面扉３の右端部に沿って位置し、コイン受け皿取付板３０から手前側に向かって移行するにしたがって右側面壁部３３Ｂｂの上端が漸次下方に移行し、正面壁部３３Ｂｃの上端に滑らかに連続している。
【００６２】
筐体２は、スロットマシン１の骨格をなす部材であり、天板２Ａ、底板２Ｂ、背板２Ｃ、左側板２Ｄ、右側板２Ｅからなり、図２に示すように、前面側を開放部とした箱形状を有している。
【００６３】
筐体２内の略中央高さ位置には、リールユニット１１が配設されている。リールユニット１１は、複数個の回転リール１１ａ〜１１ｃを有している。各回転リール１１ａ〜１１ｃは、その回転中心軸線が筐体２の横幅方向に同一軸線上に延びるように配置されており、表示窓２２ａから回転リール１１ａ〜１１ｃの表面を視認できるようになっている。
【００６４】
回転リール１１ａ〜１１ｃの表面には、周回方向に所定間隔をおいて複数種類の図柄が表示されており、表示窓２２ａから上下に３つの図柄が視認できるように配置されている。そして、リール１１ａ〜１１ｃの正転により、各表示窓２２ａには各種図柄が上から下に移動しているように映し出される。
【００６５】
各リール１１ａ〜１１ｃは、個々にステッピングモータ（図示せず）に連結されており、各ステッピングモータにより別個独立して回転駆動され、リール表面の図柄が表示窓２２ａから視認可能な位置に停止される。
【００６６】
筐体２内の上部位置には、主基板ユニット１２が配設されている。主基板ユニット１２は、スロットマシン１の遊技動作を制御するメイン制御基板が制御基板収納ボックス内に収容された状態で、台座装置によって筐体２内の背板２Ｃに取付支持されている。
【００６７】
筐体２内の下部位置には、電源ボックス１３とコイン払出手段１４と補助タンク５０が左右に並んで配置されている。電源ボックス１３は、筐体２の左側板２Ｄに沿って設けられており、開閉扉１３ａを開くことで露出される正面部には、電源スイッチ、リセットスイッチ、設定キー挿入孔（いずれも図示せず）が設けられている。電源スイッチは、主制御装置等を始めとする各部に電源を供給するための起動スイッチである。
【００６８】
リセットスイッチは、スロットマシンの各種状態をリセットするためのスイッチである。本スロットマシン１は、各種データのバックアップ機能を有しており、万一停電が発生した際でも停電時の状態を保持し、停電からの復旧（復電）の際には停電時の状態に復帰できるようになっている。したがって、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。
【００６９】
設定キー挿入孔は、ホール管理者などがコインの出玉調整を行うためのものである。すなわち、ホール管理者等が設定キーを設定キー挿入孔へ挿入して操作することにより、スロットマシン１の設定状態（当選確率設定処理）を「設定１」から「設定６」まで変更できるようになっている。
【００７０】
コイン払出手段１４は、図示していないスライド機構を介して筐体２の底板２Ｂの上面に取り付けられており、前面扉３を開放した状態で筐体２内から前方に向かって引き出すことができるようになっている。
【００７１】
コイン払出手段１４は、コインを貯留するホッパ１５と、ホッパ１５内のコインをコイン受け皿３３に払い出す払出装置１６と、ホッパ１５から溢れたコインをホッパ１５の外に排出するコイン排出口１８等を備えている。そして、底板２Ｂの上面に払出装置１６がスライド移動可能に支持され、払出装置１６の上部にホッパ１５が取り付けられ、ホッパ１５にコイン排出口１８が形成されている。
【００７２】
払出装置１６は、モータ等の駆動手段により回転体を回転させて（いずれも図示せず）、ホッパ１５内のコインを払出口１６ａから払い出して排出用通路８に流入させる構成を有する。ホッパ１５は、筐体２の上下方向に延在する平面視略矩形の胴部１５Ａと、胴部１５Ａの下端部を閉塞する底部１５Ｂとからなる有底筒状をなす。胴部１５Ａは、左壁部１５Ａｃと右壁部１５Ａｄとが筐体２の左側板２Ｄ、右側板２Ｅと平行に延在し、後壁部１５Ａｂが筐体２の背板２Ｃに沿って延在し、前壁部１５Ａａが筐体２の前部で左右に延在するように配置される。
【００７３】
そして、胴部１５Ａの上端部は、上方に向かって開放されており、ホッパ１５内にコインが投入される投入口１７が形成されている。底部１５Ｂは、互いに対向して下方に移行するにしたがって漸次接近するように傾斜した左右一対の傾斜部１５Ｂａ、１５Ｂｂを有している。これら左右一対の傾斜部１５Ｂａ、１５Ｂｂのうち、図３で左側に示される傾斜部１５Ｂａには、払出装置１６にコインを供給する供給口が形成されている。
【００７４】
そして、図３で右側に示される傾斜部１５Ｂｂは、払出装置１６よりも筐体２の右側板２Ｅ側に突出し、底板２Ｂの上面と対向している。コイン排出口１８は、補助タンク５０の上方に位置し、ホッパ１５から溢れてコイン排出口１８から排出されたコインを補助タンク５０内に落下させることができるように、胴部１５Ａの右壁部１５Ａｄに形成されている。
【００７５】
補助タンク５０は、コイン排出口１８から排出されたコインを貯留する手動回収と、コインを通過させて自動回収装置（図示せず）によって回収させる自動回収の両方に対応可能な構造を有する。
【００７６】
補助タンク５０は、前面扉３を開放した状態で筐体２内から前方に向かって引き出すことができるように、筐体２の底板２Ｂの上面に載せた状態で収容される。筐体２の底板２Ｂには、補助タンク５０に収容したコインを筐体２の下方に位置する自動回収装置に供給するためのコイン回収穴２Ｆが開口形成されている。
【００７７】
補助タンク５０は、図５に示すように、タンク本体５１と、蓋体５２によって構成されている。タンク本体５１は、上部が開放された有底の箱形状を有しており、タンク本体５１の底壁部１０１には、図６に示すように、開口穴５３が形成されている。開口穴５３は、補助タンク５０が筐体２内に収容された状態で、筐体２の底板２Ｂに開口するコイン回収穴２Ｆと連通する位置に形成されている。
【００７８】
蓋体５２は、タンク本体５１の内方でタンク本体５１に回動自在に支持されて、開口穴５３を閉塞する閉塞位置と、開口穴５３を開放する開放位置のいずれか一方に選択的に配置可能な構成を有する。
【００７９】
補助タンク５０は、蓋体５２を閉塞位置に配置して開口穴５３を閉塞した状態で筐体２内に装着することにより、補助タンク５０内に回収されたコインを貯留することができ、また、蓋体５２を開放位置に配置して開口穴５３を開放した状態で筐体２内に装着することにより、補助タンク５０内に回収されたコインを、補助タンク５０の開口穴５３から筐体２の底板２Ｂに開口するコイン回収穴２Ｆを通過させて、筐体２の下方に位置する自動回収装置に供給し、自動回収装置によって回収させることができるようになっている。
【００８０】
また、補助タンク５０は、蓋体５２を開放位置と閉塞位置との中間の予め設定された傾斜角度位置に配置して取り外し方向に移動させた場合に、蓋体５２のタンク本体５１への支持を解除して蓋体５２をタンク本体５１から取り外し可能な構成を有する。
【００８１】
以下、補助タンク５０の構成について詳細に説明する。図５は、補助タンク５０の開口部５３が蓋体５２によって閉塞された状態を示す補助タンク５０の斜視図、図６は、補助タンク５０の開口部５３が開放された状態を示す補助タンク５０の斜視図、図７は、補助タンク５０の平面図、図８は、図７のＩＩ−ＩＩ線断面矢視図、図９は、蓋体５２を示す斜視図、図１０は、蓋体５２の側面図、図１１は、蓋体５２をタンク本体５１に取り付ける取付方法を説明する図、図１２は、蓋体５２の支持状態を説明する図、図１３は、図５のＩＩＩ−ＩＩＩ線断面矢視図、図１４は、図７のＩＶ−ＩＶ線断面矢視図、図１５は、図６のＶ−Ｖ線断面矢視図である。
【００８２】
補助タンク５０のタンク本体５１は、図５〜図８に示すように、平面視略矩形状の底壁部１０１と、底壁部１０１の周りを囲うように底壁部１０１から起立する前壁部１０２、後壁部１０３、左側壁部１０４、右側壁部１０５を有する。
【００８３】
前壁部１０２と後壁部１０３は、底壁部１０１の前後でそれぞれ上方に向かって折曲されて互いに対向し、左側壁部１０４と右側壁部１０５は、底壁部１０１の両側端部でそれぞれ上方に向かって折曲されて対向する。
【００８４】
そして、タンク本体５１の上部には、上方に向かって開口する矩形の開口部５４が形成されている。開口部５４は、前壁部１０２の上端部でタンク本体５１の左右方向に延在する前端縁部１０２ａ、右側壁部１０５の上端部でタンク本体５１の前後方向に延在する右端縁部１０５ａ、後壁部１０３の上端部でタンク本体５１の左右方向に延在する後端縁部１０３ａ、左側壁部１０４の上端部でタンク本体５１の前後方向に延在する左端縁部１０４ａを有しており、平面視略矩形の開口形状を有する。
【００８５】
そして、筐体２内で、開口部５４の前端縁部１０２ａが筐体２の前部開口部分に沿って筐体２の左右方向に延在し、右端縁部１０５ａが筐体２内で右側板２Ｅに沿って筐体２の前後方向に延在し、後端縁部１０３ａが筐体２内で背板２Ｃに沿って筐体２の左右方向に延在し、左端縁部１０４ａがコイン払出手段１４に沿って筐体２の前後方向に延在する。
【００８６】
補助タンク５０は、図３及び図４に示すように、コイン払出手段１４と筐体２の右側板２Ｅとの間に形成されたスペースに収容されてコイン払出手段１４のコイン排出口１８の下方に配置される。そして、筐体２内に装着して前面扉３を閉じた場合に、タンク本体５１の左側壁部１０４がホッパ１５に対向してタンク本体５１の上側及び左側への移動が規制され、同時に、タンク本体５１の右側壁部１０５が筐体２の右側板２Ｅに対向してタンク本体５１の左右への移動が規制され、更に、タンク本体５１の後壁部１０３が筐体２の背板２Ｃに対向してタンク本体５１の後方への移動が規制され、タンク本体５１の前壁部１０２が前面扉３のスピーカ３２Ｒに対向して、タンク本体５１の前方への移動が規制される。
【００８７】
タンク本体５１の底壁部１０１は、図５〜図８に示すように、前壁部１０２の下端から後方に移行するに従って漸次下方に移行する傾斜面部１１１と、傾斜面部１１１の後側で水平に延在して筐体２の底板２Ｂの上面に接面する水平面部１２１を有している。
【００８８】
傾斜面部１１１の上面には、複数の凸条部１１２が設けられている。凸条部１１２は、傾斜面部１１１の強度を補強するものであり、上方から落下してきたコインが衝突した場合に、傾斜面部１１１の上面に傷が付いたり傾斜面部１１１が破損するのを防止している。各凸条部１１２は、左右に所定間隔をおいて前後に延在するように配設されている。
【００８９】
傾斜面部１１１の下面には、前壁部１０２の下端と水平面部１２１の前端との間を緩やかな円弧曲線で結ぶ凸状に形成された複数枚のリブ１１３が突設されており、補助タンク５０を筐体２内から前方に引き出す際に、引っ掛かることなく円滑に引き出すことができる。
【００９０】
タンク本体５１の開口穴５３は、水平面部１２１の中央に形成されており、コイン回収穴２Ｆの形状に沿うように平面視略矩形状をなし、開口穴５３の周りに水平面部１２１の上面１２１ａが所定幅で連続する大きさを有する。水平面部１２１は、蓋体５２を水平面部１２１の上面１２１ａに重ねて閉塞位置に配置した場合に、蓋体５２の下面２０１ｂと水平面部１２１の上面１２１ａとが開口穴５３の周りに周状に連続して対向して接面する形状を有する。
【００９１】
水平面部１２１の左側端部には、蓋体５２を回動自在に支持する支持手段５６が設けられている。支持手段５６は、蓋体５２を閉塞位置と開放位置との中間の予め設定された傾斜角度位置に配置してタンク本体５１に対して取り外し方向である上方に向かって移動させた場合に、支持を解除して蓋体５２を取り外すことが可能な構成を有する。
【００９２】
支持手段５６は、水平面部１２１の前部に形成されて蓋体５２の前側支持軸（第１支持軸）２１２を回転自在に支持する前側支持部（第１支持部）１３１と、水平面部１２１の後部に形成されて蓋体５２の後側支持軸（第２支持軸）２１３を回転自在に支持する後側支持部（第２支持部）１３４と、水平面部１２１の前後方向中間位置に形成されて蓋体５２の中間支持軸２１４を回転自在に支持する中間支持部１３７とを有する。
【００９３】
前側支持部１３１は、水平面部１２１から上方に向かって突出する突起部１３２と、突起部１３２の後面に開口してタンク本体５１の前方に向かって延在する孔部１３３によって構成される。孔部１３３は、蓋体５２の前側支持軸２１２を挿入可能な内径を有し、挿入された前側支持軸２１２が回転自在に支持される。
【００９４】
後側支持部１３４は、後側支持軸２１３を回転自在に支持する構成を有する。そして、後側支持部１３４には、後側支持軸２１３の取り外し方向である上方に向かって開口し、蓋体５２を所定の傾斜角度位置に配置して取り外し方向である上方に向かって移動させた場合に後側支持軸２１３を通過させて後側支持部１３４からの取り外しを可能とするスリット部１３４ａが形成されている。
【００９５】
後側支持部１３４は、図１１及び図１２に示すように、左側壁部１０４との間に所定の間隙を開けて水平面部１２１から上方に起立するリブ１３５と、リブ１３５の上端に対向して左側壁部１０４から突出する爪部１３６を有する。
【００９６】
リブ１３５は、図１２に示すように、水平面部１２１からほぼ垂直に突出する腕部１３５ａと、腕部１３５ａの上端から左側壁部１０４の爪部１３６側に向かって突出する爪部１３５ｂを有する。腕部１３５ａは、左側壁部１０４との間に後側支持軸２１３の外径よりも若干広い間隔を有して対向し、後側支持軸２１３の外径よりも高い高さ位置まで突出している。爪部１３５ｂは、爪部１３５ｂと爪部１３６との間隔が、後側支持軸２１３の外径よりも狭く且つ後側支持軸２１３の一対の平坦面２１３ａ、２１３ｂの間隔とほぼ同一若しくは若干広い間隔となるように形成されている。スリット部１３４ａは、爪部１３５ｂと爪部１３６との間に形成されている。
【００９７】
中間支持部１３７は、中間支持軸２１４を回転自在に支持する構成を有する。中間支持部１３７には、中間支持軸２１４の取り外し方向である上方に向かって開口し、蓋体５２を所定の傾斜角度位置に配置して取り外し方向である上方に向かって移動させた場合に中間支持軸２１４を通過させて中間支持部１３７からの取り外しを可能とするスリット部１３７ａが形成されている。
【００９８】
中間支持部１３７は、後側支持部１３４と同一形状のリブ１３８と爪部１３９を有する。リブ１３８は、水平面部１２１からほぼ垂直に突出する腕部１３８ａと、腕部１３８ａの上端から左側壁部１０４の爪部１３９側に向かって突出する爪部１３８ｂを有する。腕部１３８ａは、蓋体５２の中間支持軸２１４の外径よりも広い間隔で左側壁部１０４と対向し、中間支持軸２１４の外径よりも高い高さ位置まで突出している。爪部１３８ｂは、爪部１３８ｂと爪部１３９との間隔が、中間支持軸２１４の外径よりも狭く且つ中間支持軸２１４の一対の平坦面２１４ａ、２１４ｂ（図９参照）の間隔とほぼ同一若しくは若干広い間隔となるように形成されている。スリット部１３７ａは、爪部１３８ｂと爪部１３９との間に形成されている。
【００９９】
水平面部１２１の右側端部には、蓋体５２を水平面部１２１の上に重ねて開口穴５３を閉塞する位置である閉塞位置に配置した場合に、蓋体５２の前側凸部２０５が挿入されて係止される前側閉塞係止穴１２３と、蓋体５２の後側凸部２０６が挿入されて係止される後側閉塞係止穴１２５が設けられている。
【０１００】
前側閉塞係止穴１２３は、閉塞位置に配置された蓋体５２の前端面２０１ｃと対向する前側対向面１２２に凹設されている。前側対向面１２２は、水平面部１２１の前部で左右に延在して前方から後方に向かって段状に下がる形状を有する。後側閉塞係止穴１２５は、閉塞位置に配置された蓋体５２の後端面２０１ｄと対向する後側対向面１２４に凹設されている。後側対向面１２４は、水平面部１２１の後部で左右に延在して前方から後方に向かって段状に上がる形状を有する。
【０１０１】
タンク本体５１の左側壁部１０４には、蓋体５２を左側壁部１０４に沿って起立させて開口穴５３を開放する位置である開放位置に配置した場合に、蓋体５２の前側凸部２０５が挿入されて係止される前側開放係止穴１４２と、蓋体５２の後側凸部２０６が挿入されて係止される後側開放係止穴１４４が設けられている。
【０１０２】
前側開放係止穴１４２は、開放位置に配置された蓋体５２の前端面２０１ｃと対向する前側対向面１４１に凹設されている。前側対向面１４１は、左側壁部１０４の前部で上下に延在し、タンク本体５１の横幅方向外側から横幅方向中央に向かって段状に突出する形状を有する。後側開放係止穴１４４は、開放位置に配置された蓋体５２の後端面２０１ｄと対向する後側対向面１４３に凹設されている。後側対向面１４３は、左側壁部１０４の後部で上下に延在し、タンク本体５１の横幅方向外側から横幅方向中央に向かって段状に突出する形状を有する。
【０１０３】
タンク本体５１の左側壁部１０４及び右側壁部１０５は、タンク本体５１の前後方向中間部分の方が前端部分及び後端部分よりも横幅方向外側に若干膨らむように、湾曲して形成されている。これにより、コインの重さに対するタンク本体５１の強度を向上させると共に、横幅方向内側への反りが防止されている。
【０１０４】
タンク本体５１の前壁部１０２は、開口部５４の前端縁部１０２ａを上端とし、開口部５４の前端縁部１０２ａから下方に延出する上前壁部１５１と、その上前壁部１５１の下端で折曲されて引き出し方向後側に水平に延在する中前壁部１５２と、中前壁部１５２の後端から下方に延出して底壁部１０１の前端に連結される下前壁部１５３を備える。
【０１０５】
そして、前壁部１０２には、引掛部５５が一体に形成されている。引掛部５５は、上前壁部１５１の下端から下方に突出し、下前壁部１５３の前方に対向して、下前壁部１５３との間に指先を下方から挿入可能な間隙を形成する垂下片１５４と、垂下片１５４の両側端部で後方に向かって折曲されて下前壁部１５３の左右の側端部に接続される側壁１５５を有する。垂下片１５４の長さは、下方から挿入した指先が第１関節くらいまで入り込む深さとなるように設定されている。側壁１５５は、垂下片１５４の両側端部と下前壁部１５３の両側端部との間をそれぞれ連結して、引掛部５５のタンク本体５１への取り付け剛性を向上させている。
【０１０６】
引掛部５５は、垂下片１５４と下前壁部１５３との間に下方から指先を挿入してタンク本体５１を筐体２の前方に引き出すことができる。そして、筐体２内から取り出した際に、指先が垂下片１５４と下前壁部１５３との間に挿入されているので、補助タンク５０を安定して持つことができる。従って、補助タンク５０を筐体２内から前方に引き出して持ち上げるという一連の作業を連続して円滑に行うことができる。
【０１０７】
また、前壁部１０２の中前壁部１５２と下前壁部１５３が、開口部５４の前端縁部１０２ａよりも引き出し方向後側に後退して開口部５４の内方に位置するように設けられているので、開口部５４の前端縁部１０２ａをタンク本体５１の前側位置に配置することができる。従って、引掛部５５を設けていながらも、開口部５４の前端縁部１０２ａを引き出し方向前側に配置でき、筐体２内の限られた空間内で開口部５４の開口面積をより広く確保することができる。
【０１０８】
従って、例えばホール従業員等によってホッパ１５から補助タンク５０にコインを掻き出す作業が行われた場合に、コイン排出口１８から排出されたコインを、筐体２から外部に飛び出させることなく、開口部５４から補助タンク５０のタンク本体５１内にスムーズに回収することができ、ホッパ１５から補助タンク５０へのコインの移動作業を迅速かつ容易に行わせることができる。
【０１０９】
タンク本体５１の後壁部１０３には、センサ挿入部５７が形成されている。センサ挿入部５７は、補助タンク５０を手動回収用として使用する場合に、筐体２に設けられた補助タンク５０内のコインの貯留量を検出するセンサ（図示せず）が挿入される。センサ挿入部５７は、後壁部１０３の左右方向略中央位置に設けられており、後壁部１０３の上部位置に形成された第１センサ挿入穴１６１と、後壁部１０３の下部位置に形成された第２センサ挿入穴１６２を有する。
【０１１０】
蓋体５２は、例えば図９及び図１０に示すように、平板部２０１と軸部２１１を有する。平板部２０１は、閉塞位置に配置された場合に、平板部２０１の下面２０１ｂと水平面部１２１の上面１２１ａとが開口穴５３の周りに周状に連続して対向して接面し、タンク本体５１の開口穴５３を閉塞する平板形状を有する。
【０１１１】
平板部２０１の軸部２１１付近の基端側には、前側支持部１３１の突起部１３２との干渉を避けるための前側切欠部２０２が軸部２１１の前側支持軸２１２に沿って切欠形成され、また、後側支持部１３４のリブ１３５との干渉を避けるための後側切欠部２０３が軸部２１１の後側支持軸２１３に沿って切欠形成されている。そして、中間支持部１３７のリブ１３８との干渉を避けるための開口部２０４が軸部２１１の中間支持軸２１４に沿って開口形成されている。
【０１１２】
平板部２０１の先端側には、前側凸部２０５と後側凸部２０６が設けられている。前側凸部２０５は、平板部２０１の前端面２０１ｃから蓋体５２の回動中心軸線が延在する方向と同方向である平板部２０１の長手方向に沿って突出し、蓋体５２を閉塞位置に配置した場合に、前側閉塞係止穴１２３に挿入されて、蓋体５２が閉塞位置から開放位置側に向かって回動しないように係止される。そして、蓋体５２を開放位置に配置した場合に、前側凸部２０５が前側開放係止穴１４２に挿入されて、蓋体５２が開放位置から閉塞位置側に向かって回動しないように係止される。
【０１１３】
後側凸部２０６は、平板部２０１の後端面２０１ｄから蓋体５２の回動中心軸線が延在する方向と同方向である平板部２０１の長手方向に沿って突出し、蓋体５２を閉塞位置に配置した場合に、後側閉塞係止穴１２５に挿入されて（例えば図１４を参照）、蓋体５２が閉塞位置から開放位置側に向かって回動しないように係止される。そして、蓋体５２を開放位置に配置した場合に、後側凸部２０６が後側開放係止穴１４４に挿入されて（例えば図１５を参照）、蓋体５２が開放位置から閉塞位置側に向かって回動しないように係止される。
【０１１４】
これらの前側凸部２０５と後側凸部２０６、及び、前側閉塞係止穴１２３と後側閉塞係止穴１２５によって、蓋体５２を閉塞位置に保持する閉塞位置保持手段が構成され、前側凸部２０５と後側凸部２０６、及び、前側開放係止穴１４２と後側開放係止穴１４４によって、蓋体５２を開放位置に保持する開放位置保持手段が構成される。
【０１１５】
従って、蓋体５２を閉塞位置に保持することができ、例えば補助タンク５０を手動回収用として使用中に、補助タンク５０内のコインを取り出すべく補助タンク５０を遊技機本体４から取り出して上下逆さにしたときに、開口穴５３の閉塞状態を維持できる。また、手動回収用として使用中に、コインが衝突した衝撃等によって、蓋体５２が移動して弾みで開口穴５３が開放されるのを防ぎ、補助タンク５０を筐体２から取り出した際に、補助タンク５０内のコインが開口穴５３から漏れ出るのを防ぐことができる。また、スロットマシン１の搬送時に、蓋体５２が閉塞位置から開放側に移動して開口穴５３が開放されるのを防ぐことができ、筐体２のコイン回収穴２Ｆから補助タンク５０の開口穴５３を通して筐体２の内部に針金等の異物を挿入する等の不正行為を防ぐことができる。
【０１１６】
また、蓋体５２を開放位置に保持することができ、例えば補助タンク５０を自動回収用として使用中に、コインが衝突した衝撃等によって蓋体５２が開放位置から閉塞位置に移動して開口穴５３を閉塞するのを防ぐことができ、補助タンク５０内にコインが詰まるのを防ぐことができる。
【０１１７】
前側凸部２０５と後側凸部２０６は、閉塞位置では前側閉塞係止穴１２３と後側閉塞係止穴１２５に挿入され、開放位置では前側開放係止穴１４２と後側開放係止穴１４４に挿入されており、閉塞位置と開放位置のいずれにおいても、タンク本体５１の内方にて露出することはない。従って、コインの衝突による前側凸部２０５や後側凸部２０６の破損を防ぐことができ、開放位置保持手段又は閉塞位置保持手段による蓋体５２の良好な保持を確保することができる。
【０１１８】
平板部２０１の上面２０１ａには、複数の小リブ２０７が突設されている。複数の小リブ２０７は、図９に示すように、上面２０１ａの先端側にてコインの外径よりも小さい間隔で平板部２０１の長手方向に一列に配設されている。これら複数の小リブ２０７は、蓋体５２を開放位置に保持させた場合に、タンク本体５１の左側壁部１０４と平板部２０１の上面２０１ａとの間に侵入しようとするコインと当接して、かかる隙間へのコインの侵入を防ぎ、蓋体５２の開放位置への保持がコインによって解除されるのを防ぐことができる。
【０１１９】
また、これら複数の小リブ２０７を設けることによって、開放位置に保持された蓋体５２の平板部２０１とタンク本体５１の左側壁部１０４との間に形成される間隙の大きさを、より広く確保することができる。
【０１２０】
従って、蓋体５２を開放位置に保持させる場合に、平板部２０１の先端部の前後方向中央位置を押して前側凸部２０５を前側対向面１４１に当接させ且つ後側凸部２０６を後側対向面１４３に当接させて、平板部２０１全体を弓なりに撓ませることができ、前側凸部２０５と後側凸部２０６を前側開放係止穴１４２と後側開放係止穴１４４に容易に挿入させることができ、蓋体５２を閉塞位置に保持させる作業を容易なものとすることができる。
【０１２１】
また、蓋体５２の開放位置への保持を解除する場合には、平板部２０１の上面２０１ａに凹設された凹部２０１ｅとタンク本体５１の左側壁部１０４との間に指先を挿入して閉塞方向に向かって付勢することができる。従って、前側凸部２０５を前側開放係止穴１４２から脱出させ、且つ後側凸部２０６を後側開放係止穴１４４から脱出させることができ、蓋体５２の保持を解除する作業を容易なものとすることができる。
【０１２２】
尚、本実施の形態では、平板部２０１の上面に複数の小リブ２０７を設けて、開放位置に保持された平板部２０１の上面２０１ａとタンク本体５１の左側壁部１０４との間に所定の隙間を積極的に形成すると共に、かかる隙間へのコインの侵入を防止する構成としたが、これに限定されるものではなく、他の構成を採用してもよい。例えば、小リブ２０７を省略し、開放位置に保持された平板部２０１の上面２０１ａとタンク本体５１の左側壁部１０４とを隙間なく接面させて、コインの侵入を阻止すると共に、左側壁部１０４のうち、開放位置に保持された平板部２０１に対向する箇所に閉操作用の窓孔を開口形成し、その窓孔から指を挿入して、蓋体５２を閉塞位置から開放位置側に向かって押し移動させる構成としてもよい。
【０１２３】
平板部２０１の下面２０１ｂには、図６に示すように、複数の凸条部２０８が設けられている。各凸条部２０８は、平板部２０１の長手方向に亘って延在し且つ平板部２０１の横幅方向に所定間隔をおいて互いに並行に延在するように形成されており、平板部２０１の強度を補強している。
【０１２４】
軸部２１１は、平板部２０１の基端側にて平板部２０１と一体に形成されており、蓋体５２の回動中心軸線と同軸上で且つ前側対向面１４１と後側対向面１４３との間に亘る長さで一直線上に延在し、軸部２１１の両端位置に前側支持軸２１２と後側支持軸２１３が形成され、軸方向中間位置に中間支持軸２１４が形成されている。
【０１２５】
前側支持軸２１２は、前側支持部１３１に回転自在に支持される構成を有しており、本実施の形態では、一定径で延在する丸棒形状を有し、前側支持部１３１の後側から前側支持部１３１の孔部１３３に挿入されて、前側支持部１３１に回転自在に支持されている。
【０１２６】
後側支持軸２１３は、リブ１３５の腕部１３５ａと左側壁部１０４との間で回転自在に支持され、蓋体５２を所定の傾斜角度位置に配置した場合にのみ、後側支持部１３４から取り外すことができ、その他の角度位置、例えば閉塞位置や開放位置では後側支持部１３４からの取り外しが阻止されるように構成されている。
【０１２７】
後側支持軸２１３は、蓋体５２を所定の傾斜角度位置に配置した場合にスリット部１３４ａに対して径方向幅が狭く、蓋体５２を傾斜角度位置以外の角度位置に配置した場合にスリット部１３４ａに対して径方向幅が広い断面形状を有し、蓋体５２を傾斜角度位置に配置して取り外し方向に移動させた場合にスリット部１３４ａを通過させて後側支持部１３４から取り外し可能な構成を有する。
【０１２８】
後側支持軸２１３は、本実施の形態では、前側支持軸２１２と同一の外径を有する丸棒の一部を平面状に面取りした形状を有しており、互いに平行な一対の平坦面２１３ａ、２１３ｂと、各平坦面２１３ａ、２１３ｂの間を連結する断面円弧状の摺動面２１３ｃを有する。
【０１２９】
一対の平坦面２１３ａ、２１３ｂは、図１２（ａ）に示すように、互いの間隔（径方向幅）Ｍが、リブ１３５の爪部１３５ｂと左側壁部１０４の爪部１３６と間のスリット部１３４ａの間隔Ｌよりも若干短い寸法（Ｍ＜Ｌ）、若しくはほぼ同一の寸法（Ｍ≒Ｌ）となるように形成されている。
【０１３０】
一対の平坦面２１３ａ、２１３ｂは、図１０に示すように、平板部２０１と面一に延在する仮想平面に対して、蓋体５２の回動中心軸線である軸部２１１の中心軸線を回転中心として所定角度だけ回転させた傾斜角度に角度付けされて形成されている。
【０１３１】
平坦面２１３ａ、２１３ｂの傾斜角度は、図１１に示すように、蓋体５２が開放位置と閉塞位置との中間の予め設定された傾斜角度位置に配置された場合に、一対の平坦面２１３ａ、２１３ｂが底壁部１０１に対して直交する方向である上下方向に延在する角度に設定されている。
【０１３２】
従って、蓋体５２を上記傾斜角度位置に配置することによって、後側支持軸２１３の一対の平坦面２１３ａ、２１３ｂを上下に延在させることができ、後側支持軸２１３の横幅を一対の平坦面２１３ａ、２１３ｂの間隔とし、スリット部１３４ａの間隔以下とすることができる。従って、蓋体５２をそのままの姿勢状態で図１１に矢印で示す取り外し方向である上方に移動させることにより、後側支持軸２１３をスリット部１３４ａに通過させて後側支持部１３４から取り外すことができる。
【０１３３】
一方、蓋体５２を閉塞位置（図１２（ａ）を参照）、若しくは開放位置（図１２（ｂ）を参照）に配置した場合には、後側支持軸２１３の横幅がスリット部１３４ａの間隔よりも大きな横幅になり、蓋体５２を取り外し方向である上方に向かって移動させても、後側支持軸２１３の摺動面２１３ｃがリブ１３５の爪部１３５ｂと左側壁部１０４の爪部１３６に当接して、後側支持軸２１３をスリット部１３４ａに通過させることはできず、後側支持部１３４から取り外すことはできない。
【０１３４】
従って、後側支持軸２１３は、リブ１３５の腕部１３５ａと左側壁部１０４との間で回転自在に支持され、蓋体５２を所定の傾斜角度位置に配置した場合にのみ、後側支持部１３４から取り外すことができ、蓋体５２を閉塞位置、若しくは開放位置に配置した場合には、後側支持部１３４からの取り外しが阻止される。
【０１３５】
尚、本実施の形態では、蓋体５２を所定の傾斜角度位置に配置した場合に後側支持軸２１３をスリット部１３４ａの間を通過させることができる構成の例として、一対の平坦面２１３ａ、２１３ｂの間隔Ｍが、スリット部１３４ａの間隔Ｌよりも若干短い寸法（Ｍ＜Ｌ）、若しくはほぼ同一の寸法（Ｍ≒Ｌ）となるように形成された構成を例に説明したが、この構成に限定されるものではない。
【０１３６】
例えば一対の平坦面２１３ａ、２１３ｂの間隔Ｍをスリット部１３４ａの間隔Ｌよりも若干大きい寸法（Ｍ＞Ｌ）とし、蓋体５２を予め設定された傾斜角度位置で取り外し方向に所定値以上の力で付勢した場合に、リブ１３５の腕部１３５ａを弾性変形させて、スリット部１３４ａの間隔Ｌを広げて、後側支持軸２１３を通過させることができ、その他の角度位置では後側支持軸２１３を通過させることができない構成としてもよい。
【０１３７】
これによれば、所定の傾斜角度位置に配置された蓋体５２を所定値以上の力で取り外し方向に付勢しない限り、スリット部１３４ａを通過させることができないので、例えば補助タンク５０が上下逆に保持されて蓋体５２がタンク本体５１に対して所定の傾斜角度位置に配置された場合に、後側支持軸２１３が後側支持部１３４から抜け落ちるのを防ぐことができる。
【０１３８】
また、本実施の形態では、後側支持軸２１３は、互いに平行な一対の平坦面２１３ａ、２１３ｂを有する場合を例に説明したが、この構成に限定されるものではなく、所定の傾斜角度位置でスリット部１３４ａを通過させることができ、その他の角度位置ではスリット部１３４ａを通過させることができない形状であればよい。例えば断面が長方形や楕円形等のように、所定の傾斜角度位置では後側支持軸２１３の径方向幅がスリット部１３４ａの間隔Ｌよりも狭く、その他の角度位置では後側支持軸２１３の径方向幅がスリット部１３４ａの間隔以上となる形状でもよい。
【０１３９】
中間支持軸２１４は、蓋体５２を所定の傾斜角度位置に配置した場合にスリット部１３７ａに対して径方向幅が狭く、蓋体５２を傾斜角度位置以外の角度位置に配置した場合にスリット部１３７ａに対して径方向幅が広い断面形状を有し、蓋体５２を傾斜角度位置に配置して取り外し方向に移動させた場合にスリット部１３７ａを通過させて中間支持部２１４から取り外し可能な構成を有する。
【０１４０】
中間支持軸２１４は、後側支持軸２１３と同一の寸法形状を有しており、一対の平坦面２１４ａ、２１４ｂがそれぞれ後側支持軸２１３の一対の平坦面２１３ａ、２１３ｂと同一の平面上に延在するように形成されている。
【０１４１】
一対の平坦面２１４ａ、２１４ｂは、互いの間隔が、リブ１３８の爪部１３８ｂと左側壁部１０４の爪部１３９との間のスリット部１３７ａの間隔よりも若干短い寸法、若しくはほぼ同一の寸法形状となるように形成されている。
【０１４２】
従って、蓋体５２を所定の傾斜角度位置に配置することによって、中間支持軸２１４の一対の平坦面２１４ａ、２１４ｂを、取り外し方向に沿う方向である上下に延在させることができ、中間支持軸２１４の横幅を一対の平坦面２１４ａ、２１４ｂの間隔とし、スリット部１３７ａの間隔以下とすることができる。従って、蓋体５２をそのままの姿勢状態で取り外し方向である上方に向かって移動させることにより、中間支持軸２１４をスリット部１３７ａに通過させて中間支持部１３７から取り外すことができる。
【０１４３】
一方、蓋体５２を閉塞位置、若しくは開放位置に配置した場合には、中間支持軸２１４の横幅がスリット部１３７ａの間隔よりも大きな横幅になり、蓋体５２を取り外し方向である上方に向かって移動させても、中間支持軸２１４の摺動面２１４ｃがリブ１３８の爪部１３８ｂと左側壁部１０４の爪部１３９に当接して、中間支持軸２１４をスリット部１３７ａに通過させることはできず、中間支持部１３７から取り外すことはできない。
【０１４４】
従って、中間支持軸２１４は、リブ１３８の腕部１３８ａと左側壁部１０４との間で回転自在に支持され、蓋体５２を所定の傾斜角度位置に配置した場合にのみ、中間支持部１３７から取り外すことができ、蓋体５２を閉塞位置、若しくは開放位置に配置した場合には、中間支持部１３７からの取り外しが阻止される。
【０１４５】
本実施の形態では、蓋体５２を所定の傾斜角度位置に配置した場合に中間支持軸２１４をスリット部１３７ａの間を通過させることができる構成の例として、一対の平坦面２１４ａ、２１４ｂの間隔Ｍが、スリット部１３７ａの間隔Ｌよりも若干短い寸法、若しくはほぼ同一の寸法となるように形成された構成を例に説明したが、この構成に限定されるものではない。
【０１４６】
例えば一対の平坦面２１４ａ、２１４ｂの間隔Ｍをスリット部１３７ａの間隔Ｌよりも若干大きい寸法とし、蓋体５２を予め設定された傾斜角度位置で取り外し方向に所定値以上の力で付勢した場合に、リブ１３８の腕部１３８ａを弾性変形させて、スリット部１３７ａの間隔を広げて、中間支持軸２１４を通過させることができ、その他の角度位置では中間支持軸２１４を通過させることができない構成としてもよい。
【０１４７】
これによれば、所定の傾斜角度位置に配置された蓋体５２を所定値以上の力で取り外し方向に付勢しない限り、スリット部１３７ａを通過させることができないので、例えば補助タンク５０が上下逆に保持されて蓋体５２がタンク本体５１に対して所定の傾斜角度位置に配置された場合に、中間支持軸２１４が中間支持部１３７から抜け落ちるのを防ぐことができる。
【０１４８】
また、本実施の形態では、中間支持軸２１４は、互いに平行な一対の平坦面２１４ａ、２１４ｂを有する場合を例に説明したが、この構成に限定されるものではなく、所定の傾斜角度位置でスリット部１３７ａを通過させることができ、その他の角度位置ではスリット部１３７ａを通過させることができない形状であればよい。例えば断面が長方形や楕円形等のように、所定の傾斜角度位置では中間支持軸２１４の径方向幅がスリット部１３７ａよりも狭く、その他の角度位置では中間支持軸２１４の径方向幅がスリット部１３７ａの間隔以上となる形状でもよい。
【０１４９】
軸部２１１には、タンク本体５１のリブ１４５、１４６と係合してケース本体５１に対する軸方向の移動を規制する切欠溝２１５、２１６が形成されている。切欠溝２１５、２１６は、軸部２１１の軸方向に直交する方向に軸部２１１の一部を切り欠いて形成されている。
【０１５０】
リブ１４５、１４６は、タンク本体５１の底壁部１０１と左側壁部１０４との接続部分に設けられており、例えば図１３に示すように、タンク本体５１の前後方向に一定の厚さ幅を有し、上方から下方に移行するに従って漸次左側壁部１０４から離反するように傾斜した形状を有する。
【０１５１】
切欠溝２１５、２１６は、リブ１４５、１４６と対応する箇所に形成されており、蓋体５２を支持手段５６に支持させた場合に、リブ１４５、１４６が挿入されて係合し、軸部の軸方向への移動が規制される。従って、蓋体５２が軸部２１１の軸方向に移動されるのを防止し、支持手段５６から蓋体５２が取り外されるのを防ぐことができる。
【０１５２】
上記蓋体５２のタンク本体５１への組み付けは、まず最初に、蓋体５２をタンク本体５１の上方から内方に挿入し、蓋体５２の前側支持軸２１２を前側支持部１３１の孔部１３３に挿入する。それから、例えば図１１に仮想線で示すように、後側支持軸２１３を後側支持部１３４の上方に配置し、蓋体５２のタンク本体５１に対する傾斜角度を予め設定された傾斜角度に調整し、一対の平坦面２１３ａ、２１３ｂがそれぞれ上下に延在するように配置する。
【０１５３】
そして、蓋体５２の後部を下方に移動させて、後側支持軸２１３を後側支持部１３４のリブ１３５の爪部１３５ｂと左側壁部１０４の爪部１３６との間のスリット部１３４ａに通過させ、図１１に実線で示すように、後側支持部１３４に支持させる。また同時に、中間支持軸２１４を中間支持部１３７のリブ１３８の爪部１３８ｂと左側壁部１０４の爪部１３９との間のスリット部１３７ａに通過させ、中間支持部１３７に支持させる。
【０１５４】
これにより、蓋体５２は、タンク本体５１に組み付けられ、タンク本体５１の内方でタンク本体５１に回動自在に支持されて、閉塞位置と開放位置のいずれか一方に選択的に配置されて、開口穴５３を開放及び閉塞することができる。そして、閉塞位置では、平板部２０１の下面２０１ｂが水平面部１２１の上面１２１ａに接面してタンク本体５１の開口穴５３を閉塞するので、コインの重量によって補助タンク５０の底が抜けるのを防ぐことができる。そして、蓋体５２を予め設定された角度位置に保持した状態でタンク本体５１内に挿入して組み立てるので、製造工場における組立作業を容易化できる。
【０１５５】
上記構成を有する補助タンク５０によれば、蓋体５２を回動させて閉塞位置と開放位置のいずれか一方に選択的に配置できるので、開口穴５３を開放状態から閉塞状態に切り替えて手動回収に対応させ、また、閉塞状態から開放状態に切り替えて自動回収に対応させることができる。
【０１５６】
従って、例えば遊技媒体であるコインが自動回収される遊技ホールや島設備に配設されていたスロットマシン１を、コインが手動回収される遊技ホールや島設備に移動させた場合に、補助タンク５０の蓋体５２を開放位置から閉塞位置に回動させて、補助タンク５０の開口穴５３を閉塞し、補助タンク５０を自動回収に対応するものから手動回収に対応するものに変更することができる。
【０１５７】
従って、補助タンク５０を新たに購入する必要がなく、スロットマシン１の移設に伴うコストを低減することができる。また、蓋体５２がタンク本体５１に回動自在に支持されているので、例えば補助タンク５０の開口穴５３を開放させた状態で使用していた場合に、蓋体５２の紛失を防ぐことができる。
【０１５８】
また、例えばコインが自動回収される遊技ホールや島設備に配設されていたスロットマシン１を、コインが手動回収される遊技ホールや島設備に移動させる場合に、補助タンク５０の蓋体５２を閉塞位置に保持させて、筐体２の底板２Ｂに開口しているコイン回収穴２Ｆを補助タンク５０によって閉塞し、筐体２の内部と外部との間を隔絶することができる。
【０１５９】
従って、コイン回収穴２Ｆから筐体２の内部に針金などの異物が挿入されるのを防止し、筐体２の内部から施錠装置６の施錠状態を不正に解除する等の不正行為が行われるのを防ぐことができる。
【０１６０】
また、補助タンク５０は、上下左右、及び前後の移動が規制された状態で筐体２内に収容されるので、筐体２内で補助タンク５０の位置を変更することはできない。従って、コイン回収穴２Ｆを補助タンク５０によって完全に閉塞することができ、コイン回収穴２Ｆから筐体２の内部に連通する隙間が形成されるのを防ぐことができる。
【０１６１】
また、補助タンク５０は、蓋体５２が開放位置と閉塞位置の中間の予め設定された傾斜角度位置に配置された状態でのみ、後側支持軸２１３と中間支持軸２１４を後側支持部１３４と中間支持部１３７に対して取り外し方向に移動させて取り外すことができ、蓋体５２が閉塞位置や開放位置に配置されている場合には、取り外すことができないようになっている。
【０１６２】
これにより、タンク本体５１から蓋体５２を取り外すことができる位置を、蓋体５２の姿勢が不安定で位置決めが困難な位置としている。従って、蓋体５２の姿勢が安定して蓋体５２に対する不正行為が行われやすい位置である、閉塞位置や開放位置での蓋体５２の取り外しを困難なものとし、蓋体５２の取り外しによる不正行為を有効に防止できる。
【０１６３】
また、前側支持軸２１２を軸方向に移動させて前側支持部１３１の孔部１３３から取り外す構造としたので、支持手段５６から蓋体５２を取り外すには、蓋体５２の後部を取り外し方向である上方に移動させて後側支持軸２１３及び中間支持軸２１４を後側支持部１３４及び中間支持部１３７から取り外した後に、蓋体５２を後方に移動させて前側支持軸２１２を前側支持部１３１の孔部１３３から引き抜く必要があり、蓋体５２の取外作業の困難化が図られている。従って、支持手段５６から蓋体５２が簡単に取り外されるのを防ぐことができる。
【０１６４】
尚、上記第１実施の形態では、蓋体５２を所定の傾斜角度位置に配置した場合に、後側支持軸２１３及び中間支持軸２１４を後側支持部１３４及び中間支持部１３７から取り外し方向に移動させて取り外すことができる構成の場合を例に説明したが、これに限定されるものではなく、前側支持軸２１２も同様に前側支持部１３１から取り外し方向に移動させて取り外すことができる構成としてもよい。
【０１６５】
また、上記第１実施の形態では、蓋体５２に後側支持軸２１３等を設け、タンク本体５１に後側支持部１３４等を設けた構成を例に説明したが、これに限定されるものではなく、例えば蓋体５２に支持部を設け、タンク本体５１に支持軸を設けてもよい。
【０１６６】
［第２実施の形態］
次に、本発明の第２実施の形態について以下に説明する。
【０１６７】
図１６は、補助タンク６０の開口穴６３が蓋体６２によって閉塞された状態を示す補助タンク６０の斜視図、図１７は、補助タンク６０の開口穴６３が開放された状態を示す補助タンク６０の斜視図、図１８は、補助タンク６０の平面図、図１９は、図１８のＶＩ−ＶＩ線断面矢視図、図２０は、図１８のＶＩＩ−ＶＩＩ線断面矢視図である。尚、第１実施の形態と同様の構成要素には同一の符号を付することでその詳細な説明を省略する。
【０１６８】
本実施の形態において特徴的なことは、蓋体６２を閉塞位置に保持する閉塞位置保持手段として固定手段６９を設け、蓋体６２を開放位置に保持する開放位置保持手段として付勢手段６８を設けたことである。
【０１６９】
補助タンク６０は、第１実施の形態における補助タンク５０と同様に、コイン排出口１８から排出されたコインを貯留する手動回収と、コインを通過させて自動回収装置（図示せず）によって回収させる自動回収の両方に対応可能な構造を有する。
【０１７０】
補助タンク６０は、前面扉３を開放した状態で筐体２内から前方に向かって引き出すことができるように、筐体２の底板２Ｂの上面に載せた状態で収容される。筐体２の底板２Ｂには、補助タンク６０に排出されたコインを筐体２の下方に位置する自動回収装置に供給するためのコイン回収穴２Ｆが開口形成されている。
【０１７１】
補助タンク６０は、タンク本体６１と、蓋体６２と、付勢手段６８と、固定手段６９によって構成されている。
【０１７２】
タンク本体６１は、上方に向かって開放された有底の箱状を有しており、タンク本体６１の底壁部３０１には、開口穴６３が形成されている。開口穴６３は、補助タンク６０が筐体２内に収容された状態で、筐体２の底板２Ｂに開口するコイン回収穴２Ｆと連通する位置に形成されている。
【０１７３】
蓋体６２は、タンク本体６１の内方でタンク本体６１に回動自在に支持されて、開口穴６３を閉塞する閉塞位置と、開口穴６３を開放する開放位置のいずれか一方に選択的に配置可能な構成を有する。
【０１７４】
付勢手段６８は、タンク本体６１に回動自在に支持された蓋体６２を開放側に付勢する構成を有しており、開放位置に保持する付勢力を有する。固定手段６９は、付勢手段６８の付勢力に抗して閉塞位置に配置された蓋体６２を閉塞位置に固定し、また、その固定を解除可能な構成を有する。
【０１７５】
補助タンク６０は、蓋体６２を閉塞位置に配置して固定し開口穴６３を閉塞した状態で筐体２内に装着することにより、補助タンク６０内に回収されたコインを貯留することができ、また、蓋体６２を開放位置に配置して開口穴６３を開放した状態で筐体２内に装着することにより、補助タンク６０内に回収されたコインを、補助タンク６０の開口穴６３から筐体２の底板２Ｂに開口するコイン回収穴２Ｆを通過させて、筐体２の下方に位置する自動回収装置に供給し、自動回収装置によって自動回収させることができるようになっている。
【０１７６】
補助タンク６０のタンク本体６１は、図１６〜図１９に示すように、平面視略矩形状の底壁部３０１と、底壁部３０１の周りを囲うように底壁部３０１から起立する前壁部３０２、後壁部３０３、左側壁部３０４、右側壁部３０５を有する。
【０１７７】
前壁部３０２と後壁部３０３は、底壁部３０１の前後でそれぞれ上方に向かって折曲されて互いに対向し、左側壁部３０４と右側壁部３０５は、底壁部３０１の両側端部でそれぞれ上方に向かって折曲されて対向する。
【０１７８】
そして、タンク本体６１の上部には、上方に向かって開口する矩形の開口部６４が形成されている。開口部６４は、前壁部３０２の上端部でタンク本体６１の左右方向に延在する前端縁部３０２ａ、右側壁部３０５の上端部でタンク本体６１の前後方向に延在する右端縁部３０５ａ、後壁部３０３の上端部でタンク本体６１の左右方向に延在する後端縁部３０３ａ、左側壁部３０４の上端部でタンク本体６１の前後方向に延在する左端縁部３０４ａを有しており、平面視略矩形の開口形状を有する。
【０１７９】
そして、筐体２内で、開口部６４の前端縁部３０２ａが筐体２の前部開口部分に沿って筐体２の左右方向に延在し、右端縁部３０５ａが筐体２内で右側板２Ｅに沿って筐体２の前後方向に延在し、後端縁部３０３ａが筐体２内で背板２Ｃに沿って筐体２の左右方向に延在し、左端縁部３０４ａがコイン払出手段１４に沿って筐体２の前後方向に延在する。
【０１８０】
タンク本体６１は、コイン払出手段１４と筐体２の右側板２Ｅとの間に形成されたスペースに収容されてコイン払出手段１４のコイン排出口１８の下方に配置される（例えば、図３及び図４を参照）。そして、筐体２内に装着して前面扉３を閉じた場合に、タンク本体６１の左側壁部３０４がホッパ１５に対向してタンク本体６１の上側及び左側への移動が規制され、同時に、タンク本体６１の右側壁部３０５が筐体２の右側板２Ｅに対向してタンク本体６１の左右への移動が規制され、更に、タンク本体６１の後壁部３０３が筐体２の背板２Ｃに対向してタンク本体６１の後方への移動が規制され、タンク本体６１の前壁部３０２が前面扉３のスピーカ３２Ｒに対向して、タンク本体６１の前方への移動が規制される。
【０１８１】
タンク本体６１の底壁部３０１は、例えば図１９に示すように、一定の板厚を有し、平面状に延在する形状を有している。タンク本体６１の開口穴６３は、例えば図１８に点線で示すように、底壁部３０１の略中央位置に形成されており、コイン回収穴２Ｆの形状と一致する平面視で略矩形状をなし、開口穴６３の周りに底壁部３０１の上面３０１ａが所定幅で連続する大きさを有する。底壁部３０１は、蓋体６２が底壁部３０１の上面３０１ａに重ねて閉塞位置に配置された場合に、蓋体６２の下面４０１ｂと底壁部３０１の上面３０１ａとが開口穴６３の周りに周状に連続して対向して接面する。
【０１８２】
タンク本体６１の左側壁部３０４には、孔部３４１、３４２が開口形成されている。孔部３４１、３４２は、例えば図１９に仮想線で示すように蓋体６２を開放位置まで移動させた場合に、固定手段６９の係止具４２１との干渉を回避し、平板部４０１の上面４０１ａを左側壁部３０４の内壁面に接面させることを可能とする位置に形成されている。
【０１８３】
タンク本体６１の左側壁部３０４及び右側壁部３０５は、タンク本体６１の前後方向中間部分の方が前端部分及び後端部分よりも横幅方向外側に若干膨らむように、湾曲して形成されている。これにより、コインの重さに対するタンク本体６１の強度を向上させると共に、横幅方向内側へのソリが防止されている。
【０１８４】
タンク本体６１の前壁部３０２は、開口部６４の前端縁部３０２ａを上端とし、開口部６４の前端縁部３０２ａから下方に延出する上前壁部３５１と、その上前壁部３５１の下端で折曲されて引き出し方向後側に水平に延在する中前壁部３５２と、中前壁部３５２の後端から下方に延出して底壁部３０１の前端に連結される下前壁部３５３を備える。
【０１８５】
そして、前壁部３０２には、引掛部６５が一体に形成されている。引掛部６５は、上前壁部３５１の下端から下方に突出し、下前壁部３５３の前方に対向して、下前壁部３５３との間に指先を下方から挿入可能な間隙を形成する垂下片３５４と、垂下片３５４の両側端部で後方に向かって折曲されて下前壁部３５３の左右の側端部に接続される側壁３５５を有する。垂下片３５４の長さは、下方から挿入した指先が第１関節くらいまで入り込む深さとなるように設定されている。側壁３５５は、垂下片３５４の両側端部と下前壁部３５３の両側端部との間をそれぞれ連結して、引掛部６５のタンク本体６１への取り付け剛性を向上させている。
【０１８６】
引掛部６５は、垂下片３５４と下前壁部３５３との間に下方から指先を挿入してタンク本体６１を筐体２の前方に引き出すことができる。そして、筐体２内から取り出した際に、指先が垂下片３５４と下前壁部３５３との間に挿入されているので、補助タンク６０を安定して持つことができる。従って、補助タンク６０を筐体２内から前方に引き出して持ち上げるという一連の作業を連続して円滑に行うことができる。
【０１８７】
また、前壁部３０２の中前壁部３５２と下前壁部３５３が、開口部６４の前端縁部３０２ａよりも引き出し方向後側に後退して開口部６４の内方に位置するように設けられているので、開口部６４の前端縁部３０２ａをタンク本体６１の前側位置に配置することができる。従って、引掛部６５を設けていながらも、開口部６４の前端縁部３０２ａを引き出し方向前側に配置でき、筐体２内の限られた空間内で開口部６４の開口面積をより広く確保することができる。
【０１８８】
従って、例えばホール従業員等によってホッパ１５から補助タンク６０にコインを掻き出す作業が行われた場合に、コイン排出口１８から排出されたコインを、筐体２から外部に飛び出させることなく、開口部６４から補助タンク６０のタンク本体６１内にスムーズに回収することができ、ホッパ１５から補助タンク６０へのコインの移動作業を迅速かつ容易に行わせることができる。
【０１８９】
タンク本体６１の後壁部３０３には、センサ挿入部６７が形成されている。センサ挿入部６７は、補助タンク６０を手動回収用として使用する場合に、筐体２に設けられた補助タンク６０内のコインの貯留量を検出するセンサ（図示せず）が挿入されるようになっている。センサ挿入部６７は、後壁部３０３の左右方向略中央位置に設けられており、後壁部３０３の上部位置に形成された第１センサ挿入穴３６１と、後壁部３０３の略中央高さ位置に設けられた第２センサ挿入穴３６２と、後壁部３０３の下部位置に設けられた第３センサ挿入穴３６３を有する。
【０１９０】
タンク本体６１の前壁部３０２と後壁部３０３には、軸孔３３１、３３２が穿設されている。軸孔３３１、３３２は、前壁部３０２と後壁部３０３の下部で且つ左側壁部３０４側にそれぞれ形成されている。そして、軸孔３３１、３３２は、一定径で前壁部３０２と後壁部３０３をそれぞれ貫通し、蓋体６２の軸部４１１を挿入して回転自在に支持する。
【０１９１】
蓋体６２は、平板部４０１と軸部４１１を有する。平板部４０１は、蓋体６２が閉塞位置に配置された場合に、平板部４０１の下面４０１ｂと底壁部３０１の上面３０１ａとが開口穴６３の周りに周状に連続して対向して接面し、タンク本体６１の開口穴６３を閉塞する平板形状を有しており、本実施の形態では、底壁部３０１の上面３０１ａにほぼ前面に亘って延在する平面視略矩形状を有する。
【０１９２】
平板部４０１の基端側には、軸部４１１が設けられている。軸部４１１は、前側支持軸４１２と、後側支持軸４１３を有する。
【０１９３】
前側支持軸４１２は、平板部４０１の前端部４０１ｃに切欠形成された切欠部４０２内で、平板部４０１の長手方向に沿って延在し、平板部４０１の前端部４０１ｃよりも突出する丸棒形状を有しており、前壁部３０２の後側から前壁部３０２の軸孔３３１に挿入されて軸孔３３１に回転自在に支持される。
【０１９４】
後側支持軸４１３は、平板部４０１の後端部４０１ｄから平板部４０１の長手方向に沿って突出し、前側支持軸４１２と同一の中心軸線上で同一の外径を有する丸棒形状を有しており、後壁部３０３の前方から後壁部３０３の軸孔３３２に挿入されて軸孔３３２に回転自在に支持される。
【０１９５】
付勢手段６８は、コイルばね４１４によって構成されている。コイルばね４１４は、円筒状に捲回された捲回部４１４ａと、捲回部４１４ａの軸方向一方側から捲回部４１４ａの径方向外側に向かって突出する第１腕部４１４ｂと、捲回部４１４ａの軸方向他方側から捲回部４１４ａの径方向外側に向かって突出する第２腕部４１４ｃとを有する。
【０１９６】
コイルばね４１４は、前側支持軸４１２に捲回部４１４ａが外嵌され、底壁部３０１の上面に沿って第１腕部４１４ｂが延在し、底壁部３０１の支持孔３１３に第１腕部４１４ｂの先端が挿入され、蓋体６２の平板部４０１の下面４０１ｂに沿って第２腕部４１４ｃが延在し、蓋体６２の支持孔４０３に第２腕部４１４ｃの先端が挿入されて取り付けられている。
【０１９７】
コイルばね４１４は、かかる取付状態で蓋体６２を開方向に向かって付勢する。コイルばね４１４の付勢力は、蓋体６２を開放位置に保持するように設定されている。尚、付勢手段６８は、本実施の形態ではコイルばね４１４によって構成される場合を例に説明したが、板バネ等を使用してもよい。
【０１９８】
固定手段６９は、一対の係止具４２１によって構成されている。各係止具４２１は、蓋体６２の先端側で且つ互いに前部と後部に離間した位置に設けられている。各係止具４２１は、グロメット４２２と、プランジャ４２３を有する。
【０１９９】
各係止具４２１のグロメット４２２は、蓋体６２の貫通孔４０６、４０７に挿通された状態で蓋体６２に取り付けられており、蓋体６２を閉塞位置に配置した場合に、ケース本体６１の底壁部３０１に穿設されている貫通孔３１１、３１２に挿通されて、先端部４２２ａが突出する構成を有する。
【０２００】
プランジャ４２３は、グロメット４２２に対して押し込み方向又は引っ張り方向に往復移動自在に支持されており、グロメット４２２の基端部４２２ｂから突出する把持部４２３ａを有し、把持部４２３ａを押圧してプランジャ４２３を押し込み方向に移動させた場合にグロメット４２２の先端部４２２ａを貫通孔３１１、３１２の内径よりも拡径させ、把持部４２３ａを引張してプランジャ４２３を引っ張り方向に移動させた場合にグロメット４２２の先端部４２２ａを貫通孔３１１、３１２の内径以下に縮径可能な状態にする。
【０２０１】
従って、蓋体６２を閉塞位置に配置して、グロメット４２２の先端部４２２ａを底壁部３０１の貫通孔３１１、３１２に挿通し、プランジャ４２３を押し込み方向に移動させた場合に、グロメット４２２の先端部４２２ａを拡径させて底壁部３０１に係止することができ、蓋体６２を閉塞位置に簡単に固定することができる。
【０２０２】
また、グロメット４２２の先端部４２２ａが底壁部３０１に係止された状態からプランジャ４２３を引っ張り方向に移動させた場合に、グロメット４２２の先端部４２２ａを貫通孔３１１、３１２の内径以下に縮径可能な状態とし、底壁部３０１への係止を解除することができ、蓋体６２の閉塞位置への固定を簡単に解除することができる。
【０２０３】
筐体２の底板２Ｂには、底板２Ｂの上面で且つ係止具４２１に対応する位置に筐体２の前後方向に亘って延在して、底壁部３０１から突出する係止具４２１の先端部分が挿入される挿入溝（図示せず）が凹設されている。
【０２０４】
係止具４２１は、補助タンク６０を筐体２から出し入れする際に、挿入溝に案内されて、補助タンク６０の出し入れ作業を簡単且つ確実に行わせることができる。また、挿入溝との協働により、補助タンク６０の筐体２内における左右方向への位置決めを行い、例えば補助タンク６０の位置をずらしてコイン回収穴２Ｆから筐体２内に針金などの異物を挿入する等の不正行為を防止できる。
【０２０５】
上記構成を有する補助タンク６０によれば、蓋体６２を回動させて閉塞位置と開放位置のいずれか一方に選択的に配置できるので、開口穴６３を開放状態から閉塞状態に切り替えて手動回収に対応させ、また、閉塞状態から開放状態に切り替えて自動回収に対応させることができる。
【０２０６】
従って、例えば遊技媒体であるコインが自動回収される遊技ホールや島設備に配設されていたスロットマシン１を、コインが手動回収される遊技ホールや島設備に移動させた場合に、補助タンク６０の蓋体６２を開放位置から閉塞位置に回動させて、補助タンク６０の開口穴６３を開放状態から閉塞状態に切り替えることができ、補助タンク６０を自動回収に対応するものから手動回収に対応するものに変更することができる。
【０２０７】
従って、補助タンク６０を新たに購入する必要がなく、スロットマシン１の移設に伴うコストを低減することができる。また、蓋体６２がタンク本体６１に回動自在に支持されているので、例えば補助タンク６０の開口穴６３を開放させた状態で使用していた場合に、蓋体６２の紛失を防ぐことができる。
【０２０８】
また、例えばコインが自動回収される遊技ホールや島設備に配設されていたスロットマシン１を、コインが手動回収される遊技ホールや島設備に移動させる場合に、補助タンク６０の蓋体６２を閉塞位置に固定して、筐体２の底板２Ｂに開口しているコイン回収穴２Ｆを補助タンク６０によって閉塞し、筐体２の内部と外部との間を隔絶することができる。
【０２０９】
従って、蓋体６２が不正に開放されてコイン回収穴２Ｆから筐体２の内部に針金などの異物が挿入されるのを防ぐことができ、筐体２の内部から施錠装置６の施錠状態を不正に解除する等の不正行為が行われるのを防止できる。
【０２１０】
また、補助タンク６０は、上下左右、及び前後の移動が規制された状態で筐体２内に収容されるので、筐体２内で補助タンク６０の位置を変更することはできない。従って、コイン回収穴２Ｆを補助タンク６０によって完全に閉塞することができ、コイン回収穴２Ｆから筐体２の内部に連通する隙間が形成されるのを防ぐことができる。
【０２１１】
そして、蓋体６２が付勢手段６８によって開放側に付勢されているので、固定手段６９による固定を解除するだけで蓋体６２を開放位置に保持することができ、補助タンク６０を手動回収用から自動回収用に切り替える作業を簡単化できる。
【０２１２】
尚、上記第２実施の形態では、蓋体６２の前側支持軸４１２と後側支持軸４１３を前壁部３０２の軸孔３３１と後壁部３０３の軸孔３３２に挿入して回転自在に支持することにより、蓋体６２をタンク本体６１内で回動自在に支持する構成としたが、蝶番によって蓋体６２を支持する構成としてもよい。
【図面の簡単な説明】
【０２１３】
【図１】スロットマシンの前面扉が閉じた状態を示す斜視図である。
【図２】スロットマシンの前面扉が開いた状態を示す斜視図である。
【図３】スロットマシンの筐体内を正面から示す図である。
【図４】図３のＩ−Ｉ線断面矢視図である。
【図５】補助タンクの開口部が蓋体によって閉塞された状態を示す補助タンクの斜視図である。
【図６】補助タンクの開口部が開放された状態を示す補助タンクの斜視図である。
【図７】補助タンクの平面図である。
【図８】図７のＩＩ−ＩＩ線断面矢視図である。
【図９】蓋体を示す斜視図である。
【図１０】蓋体の側面図である。
【図１１】蓋体をタンク本体に取り付ける取付方法を説明する図である。
【図１２】蓋体の支持状態を説明する図である。
【図１３】図５のＩＩＩ−ＩＩＩ線断面矢視図である。
【図１４】図７のＩＶ−ＩＶ線断面矢視図である。
【図１５】図６のＶ−Ｖ線断面矢視図である。
【図１６】補助タンクの開口穴が開放された状態を示す補助タンクの斜視図である。
【図１７】補助タンクの開口穴が開放された状態を示す補助タンクの斜視図である。
【図１８】補助タンクの平面図である。
【図１９】図１８のＶＩ−ＶＩ線断面矢視図である。
【図２０】図１８のＶＩＩ−ＶＩＩ線断面矢視図である。
【符号の説明】
【０２１４】
１  スロットマシン（遊技機）
２  筐体
１５  ホッパ
５０、６０  補助タンク
５１、６１  タンク本体
５２、６２  蓋体
５３、６３  開口穴
６８  付勢手段
６９  固定手段
１０１、３０１  底壁部
１２３  前側閉塞係止穴（閉塞係止穴）
１２５  後側閉塞係止穴（閉塞係止穴）
１３１  前側支持部（第１支持部）
１３３  孔部
１３４  後側支持部（支持部、第２支持部）
１３４ａ、１３７ａ  スリット部
１４２  前側開放係止穴（開放係止穴）
１４４  後側開放係止穴（開放係止穴）
２０１、４０１  平板部
２０５  前側凸部（凸部）
２０６  後側凸部（凸部）
２１２  前側支持軸（第１支持軸）
２１３  後側支持軸（支持軸、第２支持軸）
２１３ａ、２１３ｂ  平坦面
２１３ｃ  摺動面
３１１、３１２  貫通孔
４２２  グロメット
４２３  プランジャ
【図１】
2009160291.tif 000003
【図２】
2009160291.tif 000004
【図３】
2009160291.tif 000005
【図４】
2009160291.tif 000006
【図５】
2009160291.tif 000007
【図６】
2009160291.tif 000008
【図７】
2009160291.tif 000009
【図８】
2009160291.tif 000010
【図９】
2009160291.tif 000011
【図１０】
2009160291.tif 000012
【図１１】
2009160291.tif 000013
【図１２】
2009160291.tif 000014
【図１３】
2009160291.tif 000015
【図１４】
2009160291.tif 000016
【図１５】
2009160291.tif 000017
【図１６】
2009160291.tif 000018
【図１７】
2009160291.tif 000019
【図１８】
2009160291.tif 000020
【図１９】
2009160291.tif 000021
【図２０】
2009160291.tif 000022